(57)【要約】【課題】遠隔操作システムにおいて、使い勝手を維持しつつ、遠隔操作リモコンの誤操作を抑制すること。【解決手段】本発明に係る遠隔操作システムは、所定の部屋に設けられる機能ユニットと、前記所定の部屋外から、前記機能ユニットを遠隔操作可能なリモコンと、前記リモコンからの信号を受信する受信部と、前記受信部が受信した信号に基づいて前記機能ユニットを制御する制御部と、を備える遠隔操作システムにおいて、前記リモコンは前記運転の操作を入力する入力部を有し、前記制御部は、前記入力部に入力する第一入力操作と、前記第一入力操作の後に前記入力部に入力する第二入力操作と、に基づいて、前記機能ユニットの運転の実行を判定する判定部と、を有し、常に前記判定部の判定結果に基づいて、前記機能ユニットの運転を制御する。【選択図】図２
2019068221.tif 000002
【特許請求の範囲】
【請求項１】
所定の部屋に設けられる機能ユニットと、
前記所定の部屋外から、前記機能ユニットを遠隔操作可能なリモコンと、
前記リモコンからの信号を受信する受信部と、
前記受信部が受信した信号に基づいて前記機能ユニットを制御する制御部と、
を備える遠隔操作システムにおいて、
前記リモコンは前記運転の操作が入力される入力部を有し、
前記制御部は、前記入力部に入力する第一入力操作と、前記第一入力操作の後に前記入力部に入力する第二入力操作と、に基づいて、前記機能ユニットの運転の実行を判定する判定部と、を有し、常に前記判定部の判定結果に基づいて、前記機能ユニットの運転を制御する
ことを特徴とする遠隔操作システム。
【請求項２】
前記機能ユニットは、複数設けられ、
前記入力部は、複数の前記機能ユニットの各運転操作ボタンを有し、
前記第二入力操作後の所定時間の間は、前記運転操作ボタンの操作で複数の前記機能ユニットの操作が可能となる
ことを特徴とする請求項１に記載の遠隔操作システム。
【請求項３】
前記機能ユニットは、複数設けられるとともに、連動運転可能に構成され、
前記入力部は、複数の前記機能ユニットの連動運転の開始ボタンを有している
ことを特徴とする請求項１または請求項２に記載の遠隔操作システム。
【請求項４】
前記機能ユニットは、複数設けられ、
前記入力部は、前記機能ユニットの運転操作ボタンと、前記機能ユニットの運転操作を確定する確定ボタンと、を有し、
前記第一入力操作は、少なくとも１つの前記運転ボタンの選択操作であり、前記第二入力操作は、前記確定ボタンの操作である
ことを特徴とする請求項１に記載の遠隔操作システム。
【請求項５】
前記リモコンは、前記第一入力操作、もしくは、前記第二入力操作の少なくとも一方の操作の後に、使用者に報知する報知手段を有する
ことを特徴とする請求項１乃至請求項４のいずれか１項に記載の遠隔操作システム。
【請求項６】
前記リモコンは、液晶の表示パネルを有し、
前記第一入力操作によって前記表示パネルが点灯する
ことを特徴とする請求項５に記載の遠隔操作システム。
【請求項７】
前記入力部は、前記機能ユニットの停止ボタンを有し、
前記制御部の前記判定部は、前記停止ボタンが押される第一入力操作が行われたと判定すると、前記機能ユニットの運転を停止する
ことを特徴とする請求項１乃至請求項６のいずれか１項に記載の遠隔操作システム。
【請求項８】
前記リモコンは、無線式のリモコンである
ことを特徴とする請求項１乃至請求項７のいずれか１項に記載の遠隔操作システム。
【発明の詳細な説明】
【技術分野】
【０００１】
本発明は、遠隔操作システムに関する。
【背景技術】
【０００２】
従来から、浴室や洗面所に設置されている機能ユニット（例えば、浴室暖房乾燥機や、洗面所暖房機、給湯機、浴槽洗浄装置）を、浴室や洗面所等から離れたリビングや台所等から遠隔操作できるリモコンが従来から知られている。
このリモコンは、リビングや台所等から、機能ユニットを遠隔操作できるため、浴室や洗面所に設置されている機能ユニットを操作する際に、使用者が浴室や洗面所、その近傍まで行かなくてもよい。
【０００３】
また、下記特許文献１には、浴室及び洗面所に設置されている浴室空調ユニットや洗面所空調ユニットを、リビングから遠隔操作できるリモコン（コントローラ）を備えた浴室空調システムが提案されている。特許文献１に記載された浴室空調システムは、浴室空調ユニットが運転動作中の際には遠隔操作のリモコンからの操作が無効とされることで、入浴者が入浴中に、遠隔操作できるリモコンから思わぬ運転操作をされ、不快な思いをすることを防ぐことができるものである。
【先行技術文献】
【特許文献】
【０００４】
【特許文献１】特開２００２−２２２４０号公報
【発明の概要】
【発明が解決しようとする課題】
【０００５】
しかしながら、上述した従来の遠隔操作システムにおいては、浴室空調ユニットが運転動作中の際には、遠隔操作できるリモコンからの操作が常に無効とされる。そのため、浴室空調ユニットが運転動作中であっても遠隔のリモコンの操作を行いたい場合、例えば、浴室空調ユニットの設定を変更した場合、その都度、浴室空調ユニットの運転を停止させなければならず、使い勝手が悪くなってしまうといった懸念がある。
【０００６】
一方で、遠隔操作できるリモコンからの操作を常に有効としてしまうと、使用者の意思とは関係なく物や手がリモコンの操作部にあたり、遠隔操作できるリモコンが操作されてしまう懸念もある。遠隔操作できるリモコンは、機能ユニットから離れた場所（機能ユニットが設けられている場所が浴室や洗面所の場合、リビングやキッチン等）から操作されるため、機能ユニットの駆動音や機能ユニットから発せられる操作音等で気付きにくく、そのまま機能ユニットが駆動してしまうおそれがある。
【０００７】
本発明は、上述した課題を解決するためになされたものであり、使い勝手を維持しつつ、遠隔操作リモコンの誤操作を抑制することのできる遠隔操作システムを提供することを目的とする。
【課題を解決するための手段】
【０００８】
上記目的を達成するために、本発明の一態様に係る遠隔操作システムによれば、所定の部屋に設けられる機能ユニットと、前記所定の部屋外から、前記機能ユニットを遠隔操作可能なリモコンと、前記リモコンからの信号を受信する受信部と、前記受信部が受信した信号に基づいて前記機能ユニットを制御する制御部と、を備える遠隔操作システムにおいて、前記リモコンは前記運転の操作を入力する入力部を有し、前記制御部は、前記入力部に入力する第一入力操作と、前記第一入力操作の後に前記入力部に入力する第二入力操作と、に基づいて、前記機能ユニットの運転の実行を判定する判定部と、を有し、常に前記判定部の判定結果に基づいて、前記機能ユニットの運転を制御する。
【０００９】
この構成によれば、入力部への入力操作を少なくとも２回行うことによって機能ユニットを駆動するため、例えば無意識にリモコンの操作を行ってしまった場合であっても、機能ユニットが駆動されてしまうことが抑制される。換言すると、使用者の意志があった場合にのみ、確実に機能ユニットを駆動することができる。また、入力操作を２回行うという簡易な構成のため、使い勝手を維持しつつ、遠隔操作可能なリモコンの誤操作を抑制することができる。
【００１０】
また、本発明の一態様に係る遠隔操作システムにおいて、好ましくは、前記機能ユニットは、複数設けられ、前記入力部は、複数の前記機能ユニットの各運転操作ボタンを有し、前記第二入力操作後の所定時間の間は、前記運転操作ボタンの操作で複数の前記機能ユニットの操作が可能となる。
【００１１】
ここで、機能ユニットが複数の機器によって構成されている場合、各機能ユニットを駆動させるとき、各機能ユニットに対して入力操作を少なくとも２回ずつ行うことは非常に面倒である。この構成によれば、最初の第ニ入力操作後は、各運転操作ボタンを押すことで各機能ユニットが駆動可能に構成されている。そのため、リモコンの操作回数を減らすことができ、リモコンの使い勝手をより向上させることができる
【００１２】
また、本発明の一態様に係る遠隔操作システムにおいて、好ましくは、前記機能ユニットは、複数設けられるとともに、連動運転可能に構成され、前記入力部は、複数の前記機能ユニットの連動運転の開始ボタンを有している。
【００１３】
この構成によれば、複数の機能ユニットが連動し、リモコンには、各機器が連動するボタンが設けられている。これにより、リモコンの操作回数を減らすことができ、リモコンの使い勝手をより向上させることができる。
【００１４】
また、本発明の一態様に係る遠隔操作システムにおいて、好ましくは、前記機能ユニットは、複数設けられ、前記入力部は、前記機能ユニットの運転操作ボタンと、前記機能ユニットの運転操作を確定する確定ボタンと、を有し、前記第一入力操作は、少なくとも１つの前記運転ボタンの選択操作であり、前記第二入力操作は、前記確定ボタンの操作である。
【００１５】
この構成によれば、各機能ユニットの各運転操作ボタンを選択した後、最後に確定ボタンを押すことで、選択された各機能ユニットが駆動するので、リモコンの操作回数を減らすことができ、リモコンの使い勝手をより向上させることができる。
【００１６】
また、本発明の一態様に係る遠隔操作システムにおいて、好ましくは、前記リモコンは、前記第一入力操作、もしくは、前記第二入力操作の少なくとも一方の操作の後に、使用者に報知する報知手段を有する。
【００１７】
この構成によれば、使用者が、例えば第ニ入力操作を失念した、もしくは、第ニ入力操作を行うことを認知していない場合に、第ニ入力操作が行われずに、機能ユニットが駆動されないといったことを抑制することができる。そのため、リモコンの使い勝手をより向上させることができる。
【００１８】
また、本発明の一態様に係る遠隔操作システムにおいて、好ましくは、前記リモコンは、液晶の表示パネルを有し、前記第一入力操作によって前記表示パネルが点灯する。
【００１９】
この構成によれば、第一入力操作を受け付けた後に、液晶の表示パネルが点灯するため、リモコンの使用者は、第一入力操作が行われたことを容易に認識することができる。
【００２０】
また、本発明の一態様に係る遠隔操作システムにおいて、好ましくは、前記入力部は、前記機能ユニットの停止ボタンを有し、前記制御部の前記判定部は、前記停止ボタンが押される第一入力操作が行われたと判定すると、前記機能ユニットの運転を停止する。
【００２１】
この構成によれば、停止するときは、素早く機能ユニットを停止することができるため、安全性を向上させることができる。
【００２２】
また、本発明の一態様に係る遠隔操作システムにおいて、好ましくは、前記リモコンは、無線式のリモコンである。
【００２３】
ここで、遠隔操作可能なリモコンが無線式である場合、設置場所を選ばないので、設置式のリモコンと比べて操作性は向上するが、無線式のリモコンは持ち運びが自由であるため、設置式のリモコンに比べて誤操作される確率が高い。リモコンが誤操作されると、誤操作のまま機能ユニットの駆動が継続してしまうおそれがある。設置式のリモコンは、通常人の目につきやすい場所に設置されているため、誤操作された後でも動作状態を容易に視認することができるが、無線式のリモコンは、使用者が意図しないと視認することは難しい。
そこで、この構成によれば、リモコンの使い勝手を維持しつつ、無線式のリモコンの誤操作をより確実に抑制することができる。
【発明の効果】
【００２４】
本発明によれば、使い勝手を維持しつつ、遠隔操作リモコンの誤操作を抑制することのできる遠隔操作システムを提供することができる。
【図面の簡単な説明】
【００２５】
【図１】本発明の第一実施形態に係る遠隔操作システムを模式的に示す図である。
【図２】本発明の第一実施形態に係る遠隔操作システムの要部構成を表すブロック図である。
【図３】本発明の第一実施形態に係る遠隔操作システムのリモコンの概略図である。
【図４】本発明の第一実施形態に係る遠隔操作システムの制御を表すフローチャートである。
【図５】本発明の第ニ実施形態に係る遠隔操作システムのリモコンの概略図である。
【図６】本発明の第ニ実施形態に係る遠隔操作システムの制御を表すフローチャートである。
【図７】本発明の第三実施形態に係る遠隔操作システムのリモコンの概略図である。
【図８】本発明の第三実施形態に係る遠隔操作システムの制御を表すフローチャートである。
【発明を実施するための形態】
【００２６】
以下、本発明の実施の形態について添付図面を参照しながら説明する。なお、各図面中、同様の構成要素には同一の符号を付して詳細な説明は適宜省略する。
【００２７】
（第一実施形態）
まず、図１及び図２を参照して、本発明の第一実施形態に係る遠隔操作システムについて説明する。
【００２８】
図１は、本発明の第一実施形態に係る遠隔操作システムを模式的に示す図である。また、図２は、本発明の第一実施形態に係る遠隔操作システムの要部構成を表すブロック図である。
【００２９】
図１に示すように、本発明の第一実施形態に係る遠隔操作システム１は、機能ユニット２０と、リモコン４０と、を備える。
【００３０】
機能ユニット２０は、所定の部屋である浴室２や洗面所３、トイレ室４に少なくとも１つ設けられる。機能ユニット２０は、複数設けられてもよい。リモコン４０は、機能ユニット２０を動作させる無線式のリモコンであり、所定の部屋外であるリビング５等から操作可能に構成されている。また、リモコン４０は電波式のリモコンである。
【００３１】
図２に示すように、機能ユニット２０は、空調機器２１、給湯器２２、照明２３、掃除機器２４、浴槽排水栓２５を含む。なお、図１には、機能ユニット２０として、浴室２及び洗面所３、トイレ室の空調機器２１のみが図示されている。
【００３２】
空調機器２１は、浴室２や洗面所３、トイレ室４の例えば天井に設けられる。空調機器２１は、温風を吹き出して室内を暖める暖房機能、風を吹き出して衣類や室内を乾燥させる乾燥機能、及び、室内を換気する換気機能、の少なくともいずれかを有する。空調機器２１は、例えば浴室換気暖房乾燥機、洗面所暖房乾燥機、トイレ換気装置である。空調機器２１は換気扇でもよい。
【００３３】
給湯機２２は、例えば浴室２の外部に設けられ、浴槽や浴室２内の水栓装置に湯を供給する。照明２３は、浴室２や洗面所３、トイレ室４の例えば天井等に設けられる照明である。
【００３４】
掃除機器２４は、浴室２の内部に設けられる。掃除機器２２は、例えば、浴槽の内壁に洗剤や水（湯）を散布する機器である。また掃除機器２２は、浴室２の床（洗い場）に水や除菌水等を散布する機器でもよい。
【００３５】
浴槽排水栓２５は、浴槽に設けられる。浴槽排水栓２５が開くことで、浴槽内の水や湯が排出される。
【００３６】
また、遠隔操作システム１は、リモコン４０から受信した信号に基づいて機能ユニット２０の動作を制御する制御部３０を備える。制御部３０は、例えばマイコンなどを含む回路装置である。制御部３０からの信号に基づいて、機能ユニット２０は動作することができる。制御部３０は、受信部３１と、判定部３２、駆動指令部３３と、を有する。
【００３７】
受信部３１は、リモコン４０からの電波（無線信号）を受信するアンテナ等の受信モジュールである。使用者がリモコン４０に設けられたスイッチやボタン等を操作すると、リモコン４０は、使用者の操作に応じて電波（無線信号）を送信する。受信部３１は、リモコン４０から送信された信号を受信すると、機能ユニット２０の操作に関する信号を判定部３２へ送信する。
なお、リモコン４０と制御部３０との間の通信は、有線通信であってもよい。
【００３８】
判定部３２は、機能ユニット２０の操作に関する信号を受信部３１から受信すると、受信した信号に基づいて機能ユニット２０の運転の実行を判定する。判定部３２は、判定した結果に関する信号を駆動指令部３３へ送信する。駆動指令部３３は、判定部３２からの信号を受信すると、機能ユニット２０の動作を制御する信号を機能ユニット２０へ送信する。機能ユニット２０は、駆動指令部３３からの信号に基づいて動作する。
なお、制御部３０と機能ユニット２０との通信は、有線通信であっても無線通信（例えば電波通信）であってもよい。また、制御部３０は、機能ユニット２０にそれぞれ設けられていてもよいし、特定のユニットのみに設けられていてもよい。
【００３９】
リモコン４０は、使用者によって機能ユニット２０の運転の操作が入力される入力部５０を有しており、入力部５０に入力された操作情報は、無線信号として制御部３０の受信部３１へ送信される。
【００４０】
また、リモコン４０は、報知手段としてのＬＥＤ部６０を有している。入力部５０への第一入力操作または第ニ入力操作が行われると、第一入力操作または第ニ入力操作に応じてＬＥＤ部６０が点滅または点灯する。
【００４１】
次に、図３を参照して、本発明の第一実施形態に係る遠隔操作システムのリモコンについて説明する。
【００４２】
図３は、本発明の第一実施形態に係る遠隔操作システムのリモコンの概略図である。
【００４３】
図３に示すように、リモコン４０の入力部５０は、乾燥ボタン５１、暖房ボタン５２、照明ボタン５３、給湯ボタン５４、掃除ボタン５５、排水栓ボタン５６、連動ボタン５７、停止ボタン５８と、を有している。なお、乾燥ボタン５１、暖房ボタン５２、照明ボタン５３、給湯ボタン５４、掃除ボタン５５、排水栓ボタン５６は、複数の機能ユニット２０の空調機器２１、給湯器２２、照明２３、掃除機器２４、浴槽排水栓２５にそれぞれ対応するボタンであり、各機能ユニット２０の運転操作ボタンである。
【００４４】
連動ボタン５７は、複数の機能ユニット２０が連動運転可能な場合に、連動可能な機能ユニット２０の連動運転の開始ボタンである。言い換えると、連動ボタン５７を操作することで、例えば機能ユニット２０の空調機器２１と掃除機器２４が連動して駆動する。また、例えば機能ユニット２０の掃除機器２４と浴槽排水栓２５が連動して駆動する。
なお、連動運転する機能ユニット２０の組み合わせは適宜設定可能に構成されており、いずれの機能ユニット同士を連動させてもよい。
このように、複数の機能ユニット２０が連動し、リモコン４０には、各機能ユニット２０が連動する連動ボタン５７が設けられている。これにより、リモコン４０の操作回数を減らすことができ、リモコン４０の使い勝手をより向上させることができる。
【００４５】
また、運転操作ボタンである、乾燥ボタン５１、暖房ボタン５２、照明ボタン５３、給湯ボタン５４、掃除ボタン５５、排水栓ボタン５６、連動ボタン５７の上方には、ＬＥＤ部６０が設けられている。
【００４６】
停止ボタン５８は、機能ユニット２０の駆動を停止するボタンであり、停止ボタン５８が操作されると、機能ユニット２０の駆動を停止するよう、制御部３０に信号が送信される。この停止ボタン５８を操作すると、後述する第一入力操作のみ（１回の操作のみ）で、機能ユニット２０の運転を停止する。このように、停止ボタン５８によって、停止するときは、素早く機能ユニットを停止することができるため、安全性を向上させることができる。
【００４７】
次に、図４を参照して、本発明の第一実施形態に係る遠隔操作システムの制御について説明する。
【００４８】
図４は、本発明の第一実施形態に係る遠隔操作システムの制御を表すフローチャートである。
【００４９】
図４に示すように、機能ユニット２０の電源が投入される等によって、第一実施形態に係る遠隔操作システム１の制御が開始されると、第一入力操作として、運転操作ボタンが操作されたか否かを判断する（ステップＳ１０１）。運転操作ボタンが操作されると、ＬＥＤ部６０が点滅し（ステップＳ１０２）、リモコン４０の操作者に対して、第一入力操作が行われたことを報知する。
【００５０】
続いて、第ニ入力操作として、再び運転操作ボタンが操作されたか否かを判断する（ステップＳ１０３）。言い換えると、第一入力操作として操作した運転操作ボタンと同じ運転操作ボタンが再び操作される（第ニ入力操作）と、対応するＬＥＤ部６０が点灯し（ステップＳ１０４）、リモコン４０の操作者に対して、第ニ入力操作が行われたことを報知する。
なお、第一入力操作として運転操作ボタンが操作されてから、第ニ入力操作として再び運転操作ボタンが操作されずに所定時間経過したときは、再びステップＳ１０１に戻るように制御されてもよい。
【００５１】
続いて、ステップＳ１０５において、判定部３２によって第ニ入力操作が行われたと判定し、第一入力操作及び第ニ入力操作で操作された運転操作ボタンに対応する機能ユニット２０を駆動するように、判定部３２から駆動指令部３３へ信号を送信する。そして、第一入力操作及び第ニ入力操作で操作された運転操作ボタンに対応する機能ユニット２０が駆動する。詳しくは、駆動指令部３３から対応する機能ユニット２０へ駆動指令信号を送信する。
【００５２】
続いて、第一入力操作もしくは第ニ入力操作が行われてから所定時間経過したか否かを判断する（ステップＳ１０６）。所定時間経過した場合は処理を終了する。
一方で、ステップＳ１０６において、所定時間経過していない場合は、別の運転操作ボタンが操作されたか否かを判断する（ステップＳ１０７）。別の運転操作ボタンが操作されると、対応するＬＥＤ部６０が点灯し（ステップＳ１０８）、別の運転操作ボタンに対応する機能ユニット２０を駆動するように、判定部３２から駆動指令部３３へ信号を送信する。そして、別の運転操作ボタンに対応する機能ユニット２０を駆動する（ステップＳ１０９）。言い換えると、はじめの第ニ入力操作を行ってから所定時間の間は、別の機能ユニットは、運転操作ボタンへの第一入力操作のみで、対応する機能ユニットを駆動することができる。
つまり、第一入力操作または第二入力操作が行われてから所定時間が経過するまでの間は、運転操作ボタンの操作（第一入力操作）で、複数の機能ユニット２０の操作が可能となる。
【００５３】
このように、本発明の一態様に係る遠隔操作システム１によれば、入力部５０の運転操作ボタンへの入力操作を少なくとも２回行うことによって機能ユニット２０を駆動するため、例えば無意識にリモコン４０の操作を行ってしまった場合であっても、機能ユニット２０が駆動されてしまうことが抑制される。換言すると、使用者の意志があった場合にのみ、確実に機能ユニット２０を駆動することができる。また、入力操作を２回行うという簡易な構成のため、使い勝手を維持しつつ、遠隔操作可能なリモコン４０の誤操作を抑制することができる。
【００５４】
また、本発明の一態様に係る遠隔操作システム１のように、機能ユニット２０が複数の機器によって構成されている場合、各機能ユニット２０を駆動させるとき、各機能ユニット２０に対して入力操作を少なくとも２回ずつ行うことは非常に面倒である。本構成によれば、最初の第ニ入力操作後は、各運転操作ボタンを押すことで各機能ユニット２０が駆動可能に構成されている。そのため、リモコン４０の操作回数を減らすことができ、リモコン４０の使い勝手をより向上させることができる。
【００５５】
さらに、本発明の一態様に係る遠隔操作システム１によれば、報知手段であるＬＥＤ部６０によって、第一入力操作または第ニ入力操作が行われたことを報知するため、使用者が、例えば第ニ入力操作を失念した、もしくは、第ニ入力操作を行うことを認知していない場合に、第ニ入力操作が行われずに、機能ユニット２０が駆動されないといったことを抑制することができる。そのため、リモコン４０の使い勝手をより向上させることができる。
【００５６】
また、ここで、遠隔操作可能なリモコンが無線式である場合、設置場所を選ばないので、設置式のリモコンと比べて操作性は向上するが、無線式のリモコンは持ち運びが自由であるため、設置式のリモコンに比べて誤操作される確率が高い。リモコンが誤操作されると、誤操作のまま機能ユニットの駆動が継続してしまうおそれがある。設置式のリモコンは、通常人の目につきやすい場所に設置されているため、誤操作された後でも動作状態を容易に視認することができるが、無線式のリモコンは、使用者が意図しないと視認することは難しい。
そこで、本発明の一態様に係る遠隔操作システム１によれば、リモコンが無線式であるためリモコンの使い勝手を維持しつつ、無線式のリモコンの誤操作をより確実に抑制することができる。
【００５７】
（第二実施形態）
【００５８】
次に、図５を参照して、本発明の第ニ実施形態に係る遠隔操作システムのリモコンについて説明する。なお、前述した各実施形態と同様の部分については、同一の符号を付し、説明は省略する。
【００５９】
図５は、本発明の第ニ実施形態に係る遠隔操作システムのリモコンの概略図である。
【００６０】
図５に示すように、第ニ実施形態に係る遠隔操作システム１０においては、前述した遠隔操作システム１に比べて、リモコン４０に確定ボタン５９が設けられている。
確定ボタン５９は、機能ユニット２０の動作を確定するボタンである。運転操作ボタンである、乾燥ボタン５１、暖房ボタン５２、照明ボタン５３、給湯ボタン５４、掃除ボタン５５、排水栓ボタン５６、連動ボタン５７を操作した後に、確定ボタンを操作すると、操作した運転操作ボタンに応じて、機能ユニット２０が駆動する。
【００６１】
次に、図６を参照して、本発明の第ニ実施形態に係る遠隔操作システムの制御について説明する。
【００６２】
図６は、本発明の第ニ実施形態に係る遠隔操作システムの制御を表すフローチャートである。
【００６３】
図６に示すように、機能ユニット２０の電源が投入される等によって、第ニ実施形態に係る遠隔操作システム１０の制御が開始されると、第一入力操作として、運転操作ボタンが操作されたか否かを判断する（ステップＳ２０１）。運転操作ボタンが操作されると、ＬＥＤ部６０が点滅し（ステップＳ２０２）、リモコン４０の操作者に対して、第一入力操作が行われたことを報知する。
【００６４】
続いて、ステップＳ２０３において、別の運転操作ボタンが操作されたか否かを判断する。別の運転操作ボタンが操作される（第一入力操作）と、対応するＬＥＤ部６０が点滅し（ステップＳ２０４）、リモコン４０の操作者に対して、第一入力操作が行われたことを報知する。言い換えると、第一入力操作として、運転操作ボタンを複数選択可能に構成されている。
【００６５】
続いて、第ニ入力操作として、確定ボタン５９が操作されたか否かを判断する（ステップＳ２０５）。確定ボタン５９が操作されると、第一入力操作として選択操作された運転操作ボタンに対応するＬＥＤ部が点灯し（ステップＳ２０６）、リモコン４０の操作者に対して、第ニ入力操作が行われたことを報知する。
なお、第一入力操作として運転操作ボタンが操作されてから、第ニ入力操作として確定ボタン５９が操作されずに所定時間経過したときは、再びステップＳ２０１に戻るように制御されてもよい。
【００６６】
続いて、ステップＳ２０７において、判定部３２によって第ニ入力操作が行われたと判定し、第一入力操作で選択操作された運転操作ボタンに対応する機能ユニット２０を駆動するように、判定部３２から駆動指令部３３へ信号を送信する。そして、第一入力操作で選択操作された運転操作ボタンに対応する機能ユニット２０が駆動する。詳しくは、駆動指令部３３から対応する機能ユニット２０へ駆動指令信号を送信する。
【００６７】
このように、本発明の一態様に係る遠隔操作システム１０によれば、入力部５０の運転操作ボタンへの入力操作と、確定ボタン５９への入力操作と、の少なくとも２回入力操作行うことによって機能ユニット２０を駆動するため、例えば無意識にリモコン４０の操作を行ってしまった場合であっても、機能ユニット２０が駆動されてしまうことが抑制される。換言すると、使用者の意志があった場合にのみ、確実に機能ユニット２０を駆動することができる。また、入力操作を２回行うという簡易な構成のため、使い勝手を維持しつつ、遠隔操作可能なリモコン４０の誤操作を抑制することができる。
【００６８】
また、本発明の一態様に係る遠隔操作システム１０によれば、各機能ユニット２０の各運転操作ボタンを選択した後、最後に確定ボタン５９を押すことで、選択された運転操作ボタンに対応する各機能ユニット２０が駆動するので、リモコン４０の操作回数を減らすことができ、リモコン４０の使い勝手をより向上させることができる。
【００６９】
さらに、本発明の一態様に係る遠隔操作システム１０によれば、報知手段であるＬＥＤ部６０によって、第一入力操作または第ニ入力操作が行われたことを報知するため、使用者が、例えば第ニ入力操作を失念した、もしくは、第ニ入力操作を行うことを認知していない場合に、第ニ入力操作が行われずに、機能ユニット２０が駆動されないといったことを抑制することができる。そのため、リモコン４０の使い勝手をより向上させることができる。
【００７０】
（第三実施形態）
【００７１】
次に、図７を参照して、本発明の第三実施形態に係る遠隔操作システムのリモコンについて説明する。なお、前述した各実施形態と同様の部分については、同一の符号を付し、説明は省略する。
【００７２】
図７は、本発明の第三実施形態に係る遠隔操作システムのリモコンの概略図である。
【００７３】
図７に示すように、第三実施形態に係る遠隔操作システム１００においては、前述した遠隔操作システム１に比べて、リモコン４０が表示パネル８０を有している。
表示パネル８０は、タッチ式の液晶パネルであり、使用者の手が触れることで、表示パネル８０に表示されるボタンを操作することができる。また、表示パネル８０上には、運転操作ボタンである、乾燥ボタン５１、暖房ボタン５２、照明ボタン５３、給湯ボタン５４、掃除ボタン５５、排水栓ボタン５６、連動ボタン５７が表示される。一方で、停止ボタン５８は、表示パネル８０とは別に設けられている。また、表示パネル８０は、所定時間操作されないと、消灯するように構成されている。
【００７４】
次に、図８を参照して、本発明の第三実施形態に係る遠隔操作システムの制御について説明する。
【００７５】
図８は、本発明の第三実施形態に係る遠隔操作システムの制御を表すフローチャートである。
【００７６】
図８に示すように、機能ユニット２０の電源が投入される等によって、第三実施形態に係る遠隔操作システム１００の制御が開始されると、第一入力操作として、表示パネル８０がタッチ操作されたか否かを判断する（ステップＳ３０１）。表示パネル８０がタッチ操作されると、表示パネル８０が点灯し（ステップＳ３０２）、リモコン４０の操作者に対して第一入力操作が行われたことを報知する。表示パネル８０が点灯すると同時に、表示パネル８０上に運転操作ボタンが表示される。
【００７７】
続いて、第ニ入力操作として、表示パネル８０上の運転操作ボタンが操作されたか否かを判断する（ステップＳ３０３）。運転操作ボタンが操作されると、ステップＳ３０４へ進み、判定部３２によって第ニ入力操作が行われたと判定し、第ニ入力操作で操作された運転操作ボタンに対応する機能ユニット２０を駆動するように、判定部３２から駆動指令部３３へ信号を送信する。そして、第ニ入力操作で操作された運転操作ボタンに対応する機能ユニット２０が駆動する。詳しくは、駆動指令部３３から対応する機能ユニット２０へ駆動指令信号を送信する。
【００７８】
続いて、第一入力操作もしくは第ニ入力操作が行われてから所定時間経過したか否かを判断する（ステップＳ３０５）。所定時間経過した場合は、表示パネル８０を消灯し（ステップＳ３０８）、処理を終了する。
一方で、ステップＳ３０５において、所定時間経過していない場合は、別の運転操作ボタンが操作されたか否かを判断する（ステップＳ３０６）。別の運転操作ボタンが操作されると、別の運転操作ボタンに対応する機能ユニット２０を駆動するように、判定部３２から駆動指令部３３へ信号を送信する。そして、別の運転操作ボタンに対応する機能ユニット２０を駆動する（ステップＳ３０７）。言い換えると、はじめの第ニ入力操作を行ってから所定時間の間は、別の機能ユニットは、運転操作ボタンへの第一入力操作のみで、対応する機能ユニットを駆動することができる。
このように、第一入力操作または第二入力操作が行われてから所定時間が経過するまでの間は、運転操作ボタンの操作（第一入力操作）で、複数の機能ユニット２０の操作が可能となる。
【００７９】
このように、本発明の一態様に係る遠隔操作システム１００によれば、この構成によれば、表示パネル８０へのタッチ入力と、運転操作ボタンへの入力操作と、の入力操作を少なくとも２回行うことによって機能ユニット２０を駆動するため、例えば無意識にリモコン４０の操作を行ってしまった場合であっても、機能ユニット２０が駆動されてしまうことが抑制される。換言すると、使用者の意志があった場合にのみ、確実に機能ユニット２０を駆動することができる。また、入力操作を２回行うという簡易な構成のため、使い勝手を維持しつつ、遠隔操作可能なリモコン４０の誤操作を抑制することができる。
【００８０】
また、本発明の一態様に係る遠隔操作システム１００によれば、最初の第ニ入力操作後は、各運転操作ボタンを押すことで各機能ユニット２０が駆動可能に構成されている。そのため、リモコン４０の操作回数を減らすことができ、リモコン４０の使い勝手をより向上させることができる。
【００８１】
また、本発明の一態様に係る遠隔操作システム１００によれば、表示パネル８０が点灯することによって、第一入力操作が行われたことを報知するため、使用者が、例えば第ニ入力操作を失念した、もしくは、第ニ入力操作を行うことを認知していない場合に、第ニ入力操作が行われずに、機能ユニット２０が駆動されないといったことを抑制することができる。そのため、リモコン４０の使い勝手をより向上させることができる。
【００８２】
さらに、本発明の一態様に係る遠隔操作システム１００によれば、第一入力操作を受け付けた後に、液晶の表示パネル８０が点灯するため、リモコン４０の操作者は、第一入力操作が行われたことを容易に認識することができる。
【００８３】
以上、本発明の実施の形態について説明したが、本発明はこれらの記述に限定されるものではない。前述の実施の形態に関して、当業者が適宜設計変更を加えたものも、本発明の特徴を備えている限り、本発明の範囲に包含される。
また、前述した各実施の形態が備える各要素は、技術的に可能な限りにおいて組み合わせることができ、これらを組み合わせたものも本発明の特徴を含む限り本発明の範囲に包含される。
【００８４】
例えば、所定の部屋が浴室２や洗面所３、トイレ室４である構成を説明したが、所定の部屋外から操作可能な操作システムであればよく、所定の部屋をリビング５、所定の部屋外を浴室２や、洗面所３、トイレ室４としてもよい。この場合、リビング５に設けられる機能ユニットとしては、例えば、照明やキッチンに設けられる水栓の給湯器や浄水器等が挙げられる。
【符号の説明】
【００８５】
１、１０、１００    遠隔操作システム
２    浴室
３    洗面所
４    トイレ
５    リビング
２０    機能ユニット
２１    空調機器
２２    給湯器
２３    照明
２４    掃除機器
２５    浴槽排水栓
３０    制御部
３１    受信部
３２    判定部
３３    駆動指令部
４０    リモコン
５０    入力部
５１    乾燥ボタン
５２    暖房ボタン
５３    照明ボタン
５４    給湯ボタン
５５    掃除ボタン
５６    排水栓ボタン
５７    連動ボタン
５８    停止ボタン
５９    確定ボタン
６０    ＬＥＤ部（報知手段）
８０    表示パネル
【図１】
2019068221.tif 000003
【図２】
2019068221.tif 000004
【図３】
2019068221.tif 000005
【図４】
2019068221.tif 000006
【図５】
2019068221.tif 000007
【図６】
2019068221.tif 000008
【図７】
2019068221.tif 000009
【図８】
2019068221.tif 000010